(57)【要約】      （修正有）【課題】補正環の操作性をより向上することができる補正環駆動装置および顕微鏡装置を提供する。【解決手段】顕微鏡本体に装着される補正環駆動機構３１を備え、顕微鏡本体が、標本を載置するステージと、１または複数の光学系を有する対物レンズ１３と、対物レンズ１３に光軸Ｌ回りに回転可能に取り付けられ、光軸Ｌ回りの回転角に応じて１または複数の光学系を光軸方向に移動させる補正環２７とを備え、補正環駆動機構３１が、操作者によって所定の回転軸３５ａ回りに回転させられる操作ダイヤル３５と、補正環２７に接触した状態において操作ダイヤル３５の回転駆動力に基づいて補正環２７を回転させる回転駆動部３７と、操作ダイヤル３５の回転駆動力を回転駆動部３７に伝達する動力伝達部３９とを備え、補正環２７の回転角に応じて補正可能な収差の補正量を示す指標４１が操作ダイヤル３５に設けられている。【選択図】図２
2019144490.tif 000002
【特許請求の範囲】
【請求項１】
顕微鏡に装着される補正環駆動機構を備え、
前記顕微鏡が、標本を載置するステージと、１または複数の光学系を有する対物レンズと、該対物レンズに該対物レンズの光軸回りに回転可能に取り付けられ、前記光軸回りの回転角に応じて１または複数の前記光学系を光軸方向に移動させる補正環とを備え、
前記補正環駆動機構が、操作者によって所定の回転軸回りに回転させられる操作部と、前記補正環に接触した状態において前記操作部の回転駆動力に基づいて前記補正環を回転させる回転駆動部と、前記操作部の前記回転駆動力を前記回転駆動部に伝達する動力伝達部とを備え、
前記補正環の前記回転角に応じて補正可能な収差の補正量を示す指標が前記操作部に設けられている補正環駆動装置。
【請求項２】
前記回転駆動部を前記補正環に接触させた接触位置と前記補正環から離間させた退避位置とに切り換える切換機構を備える請求項１に記載の補正環駆動装置。
【請求項３】
前記補正環駆動機構が、前記切換機構により前記回転駆動部を前記補正環に接触させた前記接触位置に切り換えたときのみ前記操作部を前記回転軸回りに回転可能にするクラッチ部を備える請求項２に記載の補正環駆動装置。
【請求項４】
前記補正環駆動機構が、前記補正環が所定の前記回転角に位置合わせされた状態を検出するセンサ部と、該センサ部による検出状態を表示する表示部とを備える請求項２または請求項３に記載の補正環駆動装置。
【請求項５】
前記補正環が、前記光軸回りの周方向の所定の位置に配置された被検知部を備え、
前記センサ部が、前記補正環が所定の前記回転角に位置合わせされたときに前記被検知部を検知可能に構成されている請求項４に記載の補正環駆動装置。
【請求項６】
前記補正環が、前記操作部の前記回転軸回りの回転に連動して、前記操作部の回転角と同一の回転角だけ前記光軸回りに回転する請求項１から請求項５のいずれかに記載の補正環駆動装置。
【請求項７】
前記補正環が、前記光軸回りの周方向に配列された複数の歯からなる歯部を有し、
前記回転駆動部が、前記補正環の前記歯部と噛み合う複数の歯からなるベルト歯を有するベルト部材を備える請求項１から請求項６のいずれかに記載の補正環駆動装置。
【請求項８】
前記顕微鏡と、
該顕微鏡に着脱可能に装着される請求項１から請求項７のいずれかに記載の補正環駆動装置とを備える顕微鏡装置。
【発明の詳細な説明】
【技術分野】
【０００１】
本発明は、補正環駆動装置および顕微鏡装置に関するものである。
【背景技術】
【０００２】
従来、対物レンズに設けられた補正環を操作する補正環操作装置が知られている（例えば、特許文献１参照。）。補正環は、対物レンズの内部に設けられている１または複数のレンズの光軸方向の位置を調整することにより、カバーガラスの厚さのばらつき等により生じる収差を補正することができる。一般的に、補正環が対物レンズに取り付けられている補正環付き対物レンズには、収差の補正量を示す目盛、すなわち指標が設けられている。指標は、補正環の操作の際に補正量の大まかな目安として使われるものであり、操作者が、指標を用いて補正環を概略位置に合わせた後、観察像を見て補正環を最適位置に調整する。
【０００３】
ところで、補正環を手動によって回転操作する場合においては、ステージの上方に対物レンズが配置される正立顕微鏡であれば補正環を操作し易いが、ステージの下方に対物レンズが配置される倒立顕微鏡では、操作スペースが不足するとともにステージが妨げとなるため、補正環の操作性および視認性が悪い。これに対し、特許文献１に記載の補正環操作装置は、補正環の回転駆動力を発生させる操作部をステージよりも外側に配置し、操作部により発生させた回転駆動力を駆動ベルト等の伝達手段により補正環に伝達させることによって、操作スペースの問題を解消して操作性を向上している。
【先行技術文献】
【特許文献】
【０００４】
【特許文献１】特開２０１６−１４８３３号公報
【発明の概要】
【発明が解決しようとする課題】
【０００５】
しかしながら、特許文献１に記載の補正環操作装置は、補正環の視認性については解消されておらず、操作部による補正環の指標合わせが困難であり、ユーザの操作性が損なわれるという問題がある。
【０００６】
本発明は上述した事情に鑑みてなされたものであって、補正環の操作性をより向上することができる補正環駆動装置および顕微鏡装置を提供することを目的としている。
【課題を解決するための手段】
【０００７】
上記目的を達成するために、本発明は以下の手段を提供する。
本発明の第１態様は、顕微鏡に装着される補正環駆動機構を備え、前記顕微鏡が、標本を載置するステージと、１または複数の光学系を有する対物レンズと、該対物レンズに該対物レンズの光軸回りに回転可能に取り付けられ、前記光軸回りの回転角に応じて１または複数の前記光学系を光軸方向に移動させる補正環とを備え、前記補正環駆動機構が、操作者によって所定の回転軸回りに回転させられる操作部と、前記補正環に接触した状態において前記操作部の回転駆動力に基づいて前記補正環を回転させる回転駆動部と、前記操作部の前記回転駆動力を前記回転駆動部に伝達する動力伝達部とを備え、前記補正環の前記回転角に応じて補正可能な収差の補正量を示す指標が前記操作部に設けられている補正環駆動装置である。
【０００８】
本態様によれば、顕微鏡において、ステージに載置された標本から発せられる光が対物レンズにより集光されることにより、対物レンズによって集光された光に基づいて標本が観察される。また、操作者が操作部を所定の回転軸回りに回転させると、操作部の回転駆動力が動力伝達部によって回転駆動部に伝達される。そして、回転駆動部によってその回転駆動力に基づいて補正環が光軸回りに回転し、対物レンズを構成する１または複数の光学系が光軸方向に移動する。したがって、操作者が操作部を操作することにより、補正環を駆動させて収差を補正することができる。
【０００９】
この場合において、操作部の回転駆動力を動力伝達部により回転駆動部に伝達させることによって、操作部を操作者が操作し易い位置に配置し、操作部の操作性を向上することができる。また、補正環の回転角に応じて補正可能な収差の補正量を示す指標を操作部に設けることによって、操作者はその指標に基づいて、補正環による収差の補正量を大まかに調整することができる。したがって、補正環の操作性をより向上することができる。特に、ステージの下方に対物レンズが配置される倒立顕微鏡においても、ステージ等が補正環の操作の妨げとなるのを抑制するとともに、操作部の指標によって収差の補正量の調整を容易にすることができる。
【００１０】
上記態様においては、前記回転駆動部を前記補正環に接触させた接触位置と前記補正環から離間させた退避位置とに切り換える切換機構を備えることとしてもよい。
この構成によって、切換機構によって回転駆動部を補正環から離間させた退避位置に切り換えることにより、補正環と回転駆動部とが非接触状態になるので、対物レンズの交換を容易にすることができる。
【００１１】
上記態様においては、前記補正環駆動機構が、前記切換機構により前記回転駆動部を前記補正環に接触させた前記接触位置に切り換えたときのみ前記操作部を前記回転軸回りに回転可能にするクラッチ部を備えることとしてもよい。
【００１２】
この構成によって、切換機構によって回転駆動部を補正環に接触させた接触位置から補正環から離間させた退避位置に切り換えると、クラッチ部によって操作部が回転軸回りに回転できなくなる。これにより、補正環から回転駆動部を離間させて、補正環と回転駆動部とが非接触状態になった場合において、操作者の意に反して操作部が回転することによって指標の位置がずれるのを防ぐことができる。
【００１３】
上記態様においては、前記補正環駆動機構が、前記補正環が所定の前記回転角に位置合わせされた状態を検出するセンサ部と、該センサ部による検出状態を表示する表示部とを備えることとしてもよい。
【００１４】
この構成によって、補正環が所定の回転角に位置合わせされると、その状態がセンサ部によって検出されて、センサ部の検出状態が表示部によって表示される。したがって、切換機構によって回転駆動部を補正環に接触させた接触位置と補正環から離間させた退避位置とに切り換える場合において、操作者は表示部を確認しながら補正環の回転角を調整するとともに、補正環の回転角と操作部の指標とを合わせることにより、補正環と操作部の指標とを容易に対応付けることができる。
【００１５】
上記態様においては、前記補正環が、前記光軸回りの周方向の所定の位置に配置された被検知部を備え、前記センサ部が、前記補正環が所定の前記回転角に位置合わせされたときに前記被検知部を検知可能に構成されていることとしてもよい。
【００１６】
この構成によって、センサ部が被検知部を検知することにより、補正環が所定の回転角に位置合わせされた状態であることが分かる。したがって、センサ部により被検知部を検知するだけの簡易な構成で、補正環が所定の回転角に位置合わせされた状態を容易に検出することができる。
【００１７】
上記態様においては、前記補正環が、前記操作部の前記回転軸回りの回転に連動して、前記操作部の回転角と同一の回転角だけ前記光軸回りに回転することとしてもよい。
この構成によって、補正環の光軸回りの回転角と操作部の回転軸回りの回転角とが一致するので、操作部の操作と補正環による収差補正との対応関係を容易にすることができる。
【００１８】
上記態様においては、前記補正環が、前記光軸回りの周方向に配列された複数の歯からなる歯部を有し、前記回転駆動部が、前記補正環の前記歯部と噛み合う複数の歯からなるベルト歯を有するベルト部材を備えることとしてもよい。
この構成によって、ベルト部材のベルト歯と補正環の歯部とが歯合するので、ベルト部材と補正環との間で滑りが生じることなく回転駆動部から補正環に回転を伝達でき、使用中に指標がずれてしまうことを回避することができる。
【００１９】
本発明の第２態様は、前記顕微鏡と、該顕微鏡に着脱可能に装着される上記いずれかの補正環駆動装置とを備える顕微鏡装置である。
本態様によれば、対物レンズに補正環が取り付けられた顕微鏡において、補正環駆動装置により、補正環の操作性をより向上して、補正環を駆動させことができる。
【発明の効果】
【００２０】
本発明によれば、補正環の操作性をより向上することができるという効果を奏する。
【図面の簡単な説明】
【００２１】
【図１】本発明の第１実施形態に係る顕微鏡装置を示す概略構成図である。
【図２】図１の補正環駆動装置を示す概略構成図である。
【図３】本発明の第１実施形態の変形例に係る操作部に設けられている指標の一例を示す平面図である。
【図４】本発明の第２実施形態に係る補正環駆動装置を示す概略構成図である。
【図５】本発明の各実施形態の変形例に係る補正環およびセンサの一例を示す斜視図である。
【図６】本発明の各実施形態の他の変形例に係る補正環およびセンサの一例を示す斜視図である。
【発明を実施するための形態】
【００２２】
〔第１実施形態〕
本発明の第１実施形態に係る補正環駆動装置および顕微鏡装置について図面を参照して以下に説明する。
本実施形態に係る顕微鏡装置１は、図１に示されるように、倒立顕微鏡である。この顕微鏡装置１は、顕微鏡本体（顕微鏡）３と、顕微鏡本体３に接続された落射観察用の外部落射検出器５と、顕微鏡本体３に接続された透過観察用の透過検出器７とを備えている。
【００２３】
顕微鏡本体３は、内部検出器等（図示略）を有する観察ユニット９と、標本Ｓを載置するステージ１１と、ステージ１１を鉛直方向に挟んで互いに対向して配置される対物レンズ１３およびコンデンサレンズ１５と、ステージ１１の下方において互いに倍率が異なる複数の対物レンズ１３を交換可能に保持するレボルバ１７と、図示しないレーザ光源から発せられたレーザ光を対物レンズ１３に向けて反射するダイクロイックミラー１９と、標本Ｓにおいて対物レンズ１３側に発生する蛍光等を外部落射検出器５に向けて反射する反射ミラー２１と、標本Ｓにおいてコンデンサレンズ１５側に発生する蛍光や透過光等を透過検出器７に向けて反射する反射ミラー２３とを備えている。
【００２４】
透過検出器７、コンデンサレンズ１５および反射ミラー２３は、顕微鏡本体３の鉛直方向に延びる支柱２５により支持され、それぞれステージ１１よりも上方に配置されている。外部落射検出器５および透過検出器７は、例えば光電子増倍管である。
【００２５】
観察ユニット９には、前記レーザ光源から発せられたレーザ光を２次元的に走査させるガルバノミラー等のスキャナと、標本Ｓからスキャナにより反射されてレーザ光の光路を戻る蛍光の通過を制限するピンホールと、ピンホールを通過した蛍光を検出する光電子増倍管等の内部検出器とが備えられている（いずれも図示略）。
【００２６】
レーザ光源としては、例えば、半導体レーザ等の１光子励起観察用の可視レーザ光を発生する連続レーザ光源と、２光子励起観察用のパルス状の近赤外レーザ光を射出するパルスレーザ光源とが用いられる。これら連続レーザ光源およびパルスレーザ光源から発せられたレーザ光は、観察ユニット９に対して直接導入されるかまたはファイバによって導入される。
【００２７】
ピンホールは、対物レンズ１３の瞳位置と共役な位置に配置されている。このピンホールは、標本Ｓにおける対物レンズ１３の焦点位置において発生した蛍光のみを通過させる。
【００２８】
レボルバ１７は、手動または電動によって駆動される。
各対物レンズ１３は、レボルバ１７により、標本Ｓに照射するレーザ光の光路Ｐ上に択一的に配置され、光路Ｐ上で鉛直上方を向いて支持される。これら対物レンズ１３は、前記レーザ光源から発せられてダイクロイックミラー１９により反射されてきたレーザ光をステージ１１上の標本Ｓに下方から照射する一方、標本Ｓにおいて発生してレーザ光の光路を戻る蛍光を集光する。
【００２９】
また、各対物レンズ１３は、内部に１または複数の光学系を有している。これら対物レンズ１３には、対物レンズ１３の光軸Ｌ回りにある有限の角度で回転可能な補正環２７が取り付けられている。
【００３０】
補正環２７は、光軸Ｌ回りの回転角に応じて、対物レンズ１３が有する１または複数の光学系を光軸Ｌ方向に移動させる。補正環２７には、収差の補正量に対応付けられた回転角を示す指標（図示略）が設けられている。また、補正環２７は、図２に示すように、外周面に光軸Ｌ回りの周方向に配列された複数の歯からなる歯部２７ａを有している。各対物レンズ１３の補正環２７の歯部２７ａは、互いに同じピッチで歯が配列されている。歯部２７ａの形状は、平歯車でもよいし、平目ローレットでもよい。平目ローレットは、操作者が、補正環を直接掴んで回転操作するときの滑り止めとして、通常の補正環付対物レンズに施されているものを流用できる。
【００３１】
コンデンサレンズ１５は、ステージ１１の鉛直上方に配置されている。このコンデンサレンズ１５は、ステージ１１上の標本Ｓに対して対物レンズ１３によって下方からレーザ光が照射されることにより、標本Ｓを透過する側に発生する透過光や蛍光を集光する。
【００３２】
ダイクロイックミラー１９は、ステージ１１の鉛直下方に配置されている。このダイクロイックミラー１９は、前記レーザ光源から発せられて観察ユニット９のスキャナにより走査されたレーザ光を対物レンズ１３に向けて反射する。また、ダイクロイックミラー１９は、対物レンズ１３により集光されてレーザ光の光路を戻る標本Ｓからの蛍光を、波長に応じて、観察ユニット９に向けて反射したり、反射ミラー２１に向けて透過させたりする。また、ダイクロイックミラー１９は、全反射ミラー２０と共にターレット（図示略）により支持されている。
【００３３】
ターレットは、レーザ光の光路Ｐ上にダイクロイックミラー１９と全反射ミラー２０とを択一的に配置する。全反射ミラー２０は、ターレットによってレーザ光の光路Ｐ上に配置されることにより、前記レーザ光源から発せられて観察ユニット９のスキャナにより走査されたレーザ光を対物レンズ１３に向けて反射する一方、対物レンズ１３により集光されてレーザ光の光路を戻る標本Ｓからの蛍光を観察ユニット９に向けて反射する。
【００３４】
また、この顕微鏡装置１は、図２に示すように、顕微鏡本体３に着脱可能に装着される補正環駆動装置２９を備えている。
補正環駆動装置２９は、顕微鏡本体３に装着される補正環駆動機構３１と、顕微鏡本体３に装着された補正環駆動機構３１と顕微鏡本体３に装着されている対物レンズ１３の補正環２７との接触と非接触とを切り換える切換機構３３とを備えている。
【００３５】
補正環駆動機構３１は、操作者によって操作される操作ダイヤル（操作部）３５と、補正環２７に接触した状態において操作ダイヤル３５の回転駆動力に基づいて補正環２７を回転させる回転駆動部３７と、操作ダイヤル３５の回転駆動力を回転駆動部３７に伝達する動力伝達部３９とを備えている。
【００３６】
操作ダイヤル３５は、例えば、円柱状の形態を有している。操作ダイヤル３５は、回転軸３５ａ回りに回転可能な外周部３５ｃと、その外周部３５ｃの内側に配置された回転しない固定部３５ｄとによって構成されている。この操作ダイヤル３５は、顕微鏡本体３に補正環駆動機構３１が装着された状態で、回転軸３５ａ方向に見てステージ１１よりも外側に配置され、操作者が操作ダイヤル３５の外周部３５ｃを把持することによって、固定部３５に対して外周部３５ｃを回転軸３５ａ回りに回転させることができる。
【００３７】
回転軸３５ａは、顕微鏡本体３に補正環駆動機構３１が装着された状態で、レーザ光の光路Ｐ上に配置された対物レンズ１３の光軸Ｌと平行に配置される。また、操作ダイヤル３５は、その外周部３５ｃと一体に回転する外周面、すなわち外周部３５ｃの外周面に、周方向に配列された複数の歯からなる歯部３５ｂを有している。歯部３５ｂは、操作者が把持する位置とは軸方向にずらした位置に配置されている。操作ダイヤル３５の歯部３５ｂは、補正環２７の歯部２７ａと略同一径を有している。
【００３８】
また、操作ダイヤル３５には、その固定部３５ｄに、補正環２７の回転角に応じて補正可能な収差の補正量を示す指標４１が設けられている。指標４１は、例えば、円板状の形態を有している。この指標４１は、指標４１の中心位置を回転軸３５ａに一致させて、操作ダイヤル３５の固定部３５ｄの上端面にマグネット等により取り付けることができる。指標４１には、補正環２７による収差の補正量に応じた目盛４１ａが周方向に刻まれている。
【００３９】
また、操作ダイヤル３５の外周部３５ｃには、ダイヤル回転時に指標４１の目盛４１ａ近傍を通る位置にマークＢが設けられている。例えば図２では、指標４１の目盛４１ａは、補正環２７の回転範囲の中央と両端を主目盛（長線）、補正環２７の回転範囲の中央と両端との間を補助目盛（短線）で表しており、マークＢが目盛４１ａの中央にあることから、補正環２７の回転角度は回転範囲の中央であることを示している。
【００４０】
回転駆動部３７は、第１駆動軸４３ａ回りに回転可能な第１駆動プーリ４３および第２駆動軸４５ａ回りに回転可能な第２駆動プーリ４５と、これら第１駆動プーリ４３および第２駆動プーリ４５に架け渡される駆動ベルト（ベルト部材）４７とを備えている。
【００４１】
第１駆動プーリ４３および第２駆動プーリ４５は、切換機構３３による補正環駆動機構３１の移動方向に直交する方向に間隔を空けて配列されている。第１駆動軸４３ａおよび第２駆動軸４５ａは、顕微鏡本体３に補正環駆動機構３１が装着された状態で、レーザ光の光路Ｐ上に配置された対物レンズ１３の光軸Ｌと平行に配置される。
【００４２】
駆動ベルト４７は、第１駆動プーリ４３および第２駆動プーリ４５に接する内面とは反対側の外面に、補正環２７の歯部２７ａと噛み合う複数の歯からなるベルト歯４７ａを有している。駆動ベルト４７のベルト歯４７ａを構成する歯は、補正環２７の歯部２７ａを構成する歯と等しいピッチで配列されている。これにより、駆動ベルト４７のベルト歯４７ａと補正環２７の歯部２７ａとが歯合するので、駆動ベルト４７と補正環２７との間で滑りが生じることなく回転駆動部３７から補正環２７に回転を伝達でき、使用中に指標４１の目盛４１ａとマークＢとがずれてしまうことを回避することができる。
【００４３】
なお、駆動ベルト４７のベルト歯４７ａを構成する歯のピッチは、補正環２７の歯部２７ａを構成する歯のピッチと必ずしも等しくなくてもよい。駆動ベルト４７と補正環２７が接触している範囲で、駆動ベルト４７のベルト歯４７ａを構成する歯と、補正環２７の歯部２７ａを構成する歯が噛み合う（歯合する）ことが可能なピッチで設定しても同じ効果が得られる。
【００４４】
駆動ベルト４７のベルト歯４７ａが補正環２７の歯部２７ａと噛み合った状態で、駆動ベルト４７が第１駆動プーリ４３および第２駆動プーリ４５の周りを周回することによって、補正環２７が光軸Ｌ回りに回転する。第１駆動プーリ４３および第２駆動プーリ４５の外周面と駆動ベルト４７の内面は、駆動ベルト４７が確実に周回できる形状を有している。例えば、第１駆動プーリ４３および第２駆動プーリ４５の外周面と駆動ベルト４７の内面が、互いに噛み合う歯を有することとしてもよいし、摩擦によって回転駆動力を伝達可能な表面形状を有することとしてもよい。
【００４５】
動力伝達部３９は、第１伝達軸４９ａ回りに回転可能な第１伝達プーリ４９および第２伝達軸５１ａ回りに回転可能な第２伝達プーリ５１と、これら第１伝達プーリ４９および第２伝達プーリ５１に架け渡される伝達ベルト（ベルト部材）５３とを備えている。
【００４６】
第１伝達プーリ４９および第２伝達プーリ５１は、操作ダイヤル３５と回転駆動部３７との間において、切換機構３３による補正環駆動機構３１の移動方向に間隔を空けて配列されている。第１伝達軸４９ａおよび第２伝達軸５１ａは、顕微鏡本体３に補正環駆動機構３１が装着された状態で、レーザ光の光路Ｐ上に配置された対物レンズ１３の光軸Ｌと平行に配置される。
【００４７】
第１伝達プーリ４９は、操作ダイヤル３５の歯部３５ｂと噛み合う複数の歯からなる歯部（図示略）を有している。操作ダイヤル３５の外周部３５ｃが回転軸３５ａ回りに回転することによって、第１伝達プーリ４９が第１伝達軸４９ａ回りに回転する。第１伝達プーリ４９の歯部は、伝達ベルト５３が架け渡される位置に対して軸方向にずらした位置に配置されている。
【００４８】
第２伝達プーリ５１は、駆動ベルト４７のベルト歯４７ａと噛み合う複数の歯からなる歯部（図示略）を有している。第２伝達プーリ５１が第２伝達軸５１ａ回りに回転することによって、駆動ベルト４７が第１駆動プーリ４３および第２駆動プーリ４５の周りを周回する。第２伝達プーリ５１の歯部は、伝達ベルト５３が架け渡される位置に対して軸方向にずらした位置に配置されている。第１伝達プーリ４９および第２伝達プーリ５１の外周面と伝達ベルト５３の内面は、確実なベルト伝達を行うことができる形状を有している。例えば、第１伝達プーリ４９および第２伝達プーリ５１の外周面と伝達ベルト５３の内面が、互いに噛み合う歯を有することとしてもよいし、摩擦によって回転駆動力を伝達可能な表面形状を有することとしてもよい。
【００４９】
補正環駆動機構３１は、上記構成によって、操作ダイヤル３５の外周部３５ｃの回転軸３５ａ回りの回転に連動して、外周部３５ｃの回転角と同一の回転角だけ補正環２７を光軸Ｌ回りに回転させる。これにより、操作ダイヤル３５の操作と補正環２７による収差補正との対応関係を容易にすることができる。
【００５０】
切換機構３３は、補正環駆動機構３１全体を照明光の光路Ｐに配置された対物レンズ１３の光軸Ｌに直交する方向に移動させることにより、回転駆動部３７の駆動ベルト４７のベルト歯４７ａを補正環２７の歯部２７ａと噛み合わせた接触位置、すなわち、補正環駆動機構３１を補正環２７に接触させた接触位置（ＩＮ）と、回転駆動部３７の駆動ベルト４７のベルト歯４７ａを補正環２７の歯部２７ａから補正環２７の径方向に離間させた退避位置、すなわち、補正環駆動機構３１を補正環２７から離間させた退避位置（ＯＵＴ）とに切り換える。
【００５１】
次に、顕微鏡装置１の作用について説明する。
本実施形態に係る顕微鏡装置１により、ステージ１１上の標本Ｓを連続レーザ光源および内部検出器を用いて落射観察する場合は、ターレットによりレーザ光の光路上に全反射ミラー２０を配置し、連続レーザ光源から可視レーザ光を発生させる。
【００５２】
連続レーザ光源から発せられた可視レーザ光は、観察ユニット９のスキャナにより走査された後、全反射ミラー２０により反射されて対物レンズ１３により標本Ｓに照射される。可視レーザ光が照射されることにより標本Ｓにおいて発生した蛍光の内、対物レンズ１３により集光された蛍光は、全反射ミラー２０により反射されて可視レーザ光の光路を戻り、観察ユニット９のスキャナにより反射されて内部検出器により検出される。
【００５３】
続いて、ステージ１１上の標本Ｓをパルスレーザ光源および外部落射検出器５を用いて落射観察する場合は、ターレットによりレーザ光の光路上に全反射ミラー２０に代えてダイクロイックミラー１９を配置し、パルスレーザ光源からパルス状の近赤外レーザ光を発生させる。
【００５４】
パルスレーザ光源から発せられた近赤外レーザ光は、観察ユニット９のスキャナにより走査された後、ダイクロイックミラー１９により反射されて対物レンズ１３により標本Ｓに照射される。近赤外レーザ光が照射されることにより標本Ｓにおいて発生した蛍光の内、対物レンズ１３により集光された蛍光は、ダイクロイックミラー１９を透過して反射ミラー２１により反射された後、外部落射検出器５により検出される。
【００５５】
続いて、ステージ１１上の標本Ｓを連続レーザ光源やパルスレーザ光源と透過検出器７により透過観察する場合は、ターレットによりレーザ光の光路上に全反射ミラー２０またはダイクロイックミラー１９を配置し、連続レーザ光源から可視レーザ光を発生させるか、あるいは、パルスレーザ光源からパルス状の近赤外レーザ光を発生させる。
【００５６】
連続レーザ光源から発せられた可視レーザ光やパルスレーザ光源から発せられた近赤外レーザ光は、観察ユニット９のスキャナにより走査された後、全反射ミラー２０またはダイクロイックミラー１９により反射されて対物レンズ１３により標本Ｓに照射される。可視レーザ光が照射されることにより標本Ｓを透過した透過光や、近赤外レーザ光が照射されることにより標本Ｓにおいて透過側に発生した蛍光は、コンデンサレンズ１５により集光されて反射ミラー２３により反射された後、透過検出器７により検出される。
【００５７】
次に、補正環駆動装置２９により補正環２７を操作する場合について説明する。
本実施形態に係る補正環駆動装置２９により補正環２７を操作する場合は、顕微鏡本体３に補正環駆動機構３１を装着した状態で、切換機構３３により、回転駆動部３７の駆動ベルト４７のベルト歯４７ａを補正環２７の歯部２７ａと噛み合わせる。そして、操作者が指標４１の目盛４１ａを参照しながら、操作ダイヤル３５を操作し、外周部３５ｃのマークＢを回転軸３５ａ回りに所望の回転角だけ回転させる。
【００５８】
操作ダイヤル３５の外周部３５ｃが回転軸３５ａ回りに回転すると、操作ダイヤル３５の回転駆動力が動力伝達部３９の第１伝達プーリ４９に伝達され、第１伝達プーリ４９が第１伝達軸４９ａ回りに回転する。そして、伝達ベルト５３により、第１伝達プーリ４９の回転駆動力が第２伝達プーリ５１に伝達されて、第２伝達プーリ５１が第２伝達軸５１ａ回りに回転する。
【００５９】
第２伝達プーリ５１が回転すると、第２伝達プーリ５１の回転駆動力が回転駆動部３７の駆動ベルト４７に伝達されることによって、駆動ベルト４７が第１駆動プーリ４３および第２駆動プーリ４５の周りを周回する。そして、駆動ベルト４７により、操作ダイヤル３５からの回転駆動力が補正環２７に伝達される。操作ダイヤル３５の歯部３５ｂと補正環２７の歯部２７ａが略同一径を有しているので、補正環２７が操作ダイヤル３５の外周部３５ｃの回転角と同一の回転角だけ光軸Ｌ回りに回転する。
【００６０】
これにより、補正環２７の回転角に応じて、対物レンズ１３を構成する１または複数の光学系が光軸Ｌ方向に移動することによって、ステージ１１において標本Ｓを載置するスライドガラスや標本Ｓを収容する培養容器等（いずれも図示略）の厚さに応じて生じる収差を大まかに補正することができる。その後、操作者は、標本Ｓの観察像を見ながら操作ダイヤル３５を操作することによって補正環２７を微調整し、収差を精度よく補正する。
【００６１】
続いて、レボルバ１７により、レーザ光の光路Ｐ上に配置する対物レンズ１３を交換する場合は、切換機構３３によって、補正環駆動機構３１を退避位置に移動させる。これにより、補正環２７と回転駆動部３７とが非接触状態になるので、対物レンズ１３の交換を容易にすることができる。
【００６２】
続いて、交換後の対物レンズ１３の補正環２７を調整する場合は、切換機構３３により、補正環駆動機構３１を接触位置に戻すことによって、交換後の対物レンズ１３に取り付けられている補正環２７の歯部２７ａと回転駆動部３７の駆動ベルト４７のベルト歯４７ａとを噛み合わせる。そして、補正環２７の角度に対する操作ダイヤル３５側の目盛４１ａとマークＢの位置合わせを行う。
【００６３】
まず、補正環２７を光軸Ｌ回りのいずれかの端まで回転させた後、切換機構３３により補正環駆動機構３１を退避位置に移動させる。次に、操作ダイヤル３５の回転操作、指標４１の付け直し、または、操作ダイヤル３５の回転操作および指標４１の付け直しの両方によって、補正環２７の角度位置（回転端）に該当する目盛４１ａの位置にマークＢを合わせる。その後、切換機構３３により、補正環駆動機構３１を接触位置に戻すことによって、交換した対物レンズ１３の補正環２７の角度と操作ダイヤル３５側の目盛４１ａおよびマークＢが示す角度とを一致させる。位置合わせ後は、対物レンズ１３の交換前と同様に、操作ダイヤル３５により補正環２７を調整する。操作ダイヤル３５の外周部３５ｃが不用意に回転した場合や、操作ダイヤル３５上で指標４１がずれた場合も、同様にして再調整することとすればよい。
【００６４】
なお、交換後の対物レンズ１３に対し、切換機構３３により補正環駆動機構３１を接触位置に戻した状態で、操作ダイヤル３５により補正環２７を光軸Ｌ回りのいずれかの端まで回転させた後、その状態で、外周部３５ｃを回転させずに指標４１を付け直すことによって、補正環２７の角度位置（回転端）に該当する目盛４１ａの位置にマークＢを合わせることとしてもよい。
【００６５】
以上説明したように、本実施形態に係る顕微鏡装置１および補正環駆動装置２９によれば、操作ダイヤル３５の回転駆動力を動力伝達部３９により回転駆動部３７に伝達させることによって、ステージ１１が操作の妨げとなるのを抑制する位置に操作ダイヤル３５を配置し、操作ダイヤル３５の操作性を向上することができる。また、補正環２７の回転角に応じて補正可能な収差の補正量を示す指標４１を操作ダイヤル３５に設けることによって、操作者はその指標４１に基づいて、補正環２７による収差の補正量を大まかに調整することができる。したがって、対物レンズ１３に補正環２７が取り付けられた倒立型の顕微鏡装置１において、補正環２７の操作性をより向上して補正環２７を駆動させることができる。
【００６６】
本実施形態は、以下のように変形することができる。
例えば、第１変形例としては、図３に示すように、指標４１が、収差の補正量が異なる対物レンズ１３ごとに、各補正環２７に対応した複数の目盛４１ａ、４１ｂを有することとしてもよい。図３は、指標４１に２つの異なる目盛４１ａ、４１ｂを設けた場合を例示している。
【００６７】
補正環２７の回転範囲は概ね１００°程度であるので、例えば、図３に示すように、円板状の指標４１の周方向に間隔を空けて目盛４１ａ，４１ｂを配置することとしてもよい。また、操作ダイヤル３５の固定部３５ｄ上であって回転軸３５ａ方向の異なる位置に、補正環２７ごとに別個に指標４１を配置することとしてもよい。
【００６８】
また、第２変形例としては、例えば、図４に示すように、切換機構３３の動作に連動して、操作ダイヤル３５の外周部３５ｃが回転軸３５ａ回りに回転するのを制限するクラッチ（クラッチ部）５５を備えることとしてもよい。
【００６９】
クラッチ５５は、伝達ベルト５３を挟んで伝達ベルト５３の動きを止めたり、伝達ベルト５３を解放して伝達ベルト５３の動きを許容したりする。具体的には、クラッチ５５は、切換機構３３により、回転駆動部３７の駆動ベルト４７のベルト歯４７ａが補正環２７の歯部２７ａから離間された状態では、伝達ベルト５３を挟んで動きを止めることにより、操作ダイヤル３５の外周部３５ｃの回転を止める。また、クラッチ５５は、切換機構３３により、回転駆動部３７の駆動ベルト４７のベルト歯４７ａが補正環２７の歯部２７ａと噛み合わされた状態では、伝達ベルト５３を解放することにより、操作ダイヤル３５の外周部３５ｃの回転を許容する。このクラッチ５５は、機械式な構成によって切換機構３３の動作に連動して駆動することとしてもよいし、電気的な制御によって切換機構３３の動作に連動して駆動することとしてもよい。
【００７０】
本変形例によれば、切換機構３３によって、補正環駆動機構３１が接触位置から退避位置に移動すると、クラッチ５５によって操作ダイヤル３５の外周部３５ｃが回転軸３５ａ回りに回転できなくなる。これにより、補正環２７から回転駆動部３７を離間させて、補正環２７と回転駆動部３７とが非接触状態になった場合において、操作者の意に反して操作ダイヤル３５の外周部３５ｃが回転することによって指標４１の目盛４１ａとマークＢの位置とがずれるのを防ぐことができる。
【００７１】
〔第２実施形態〕
次に、本発明の第２実施形態に係る補正環駆動装置および顕微鏡装置について説明する。
本実施形態に係る補正環駆動装置２９は、例えば、図５に示すように、補正環２７がセンサ板（被検知部）６１を備え、補正環駆動機構３１が、補正環２７が所定の回転角に位置合わせされた状態を検出するセンサ（センサ部）６３と、センサ６３による検出状態を表示する表示部６５とを備える点で第１実施形態と異なる。
以下、第１実施形態に係る補正環駆動装置２９および顕微鏡装置１と構成を共通する箇所には、同一符号を付して説明を省略する。
【００７２】
センサ板６１は、補正環２７の外周面から径方向に突出する板状の形態を有している。このセンサ板６１は、補正環２７の周方向の所定の位置に配置されている。所定の位置として、例えば、補正環２７の回転範囲における周方向の真ん中の位置にセンサ板６１を配置することとしてもよい。また、所定の位置として、例えば、０．１７ｍｍの厚さのカバーガラスを使用する場合において決まってくる補正環２７の回転角など、操作者の観察環境において頻繁に使用される回転角の位置にセンサ板６１を配置することとしてもよい。
【００７３】
センサ６３は、例えば、フォトインタラプタであり、発光部６３ａおよび受光部６３ｂを備えている。これら発光部６３ａおよび受光部６３ｂは、補正環駆動機構３１を補正環２７に接触させた接触位置に配置した状態において、補正環２７の近傍において、光軸Ｌ方向に間隔を空けて配置される。
【００７４】
このセンサ６３は、補正環２７とともにセンサ板６１が光軸Ｌ回りに回転して、発光部６３ａから受光部６３ｂに向けて発せられる光がセンサ板６１によって遮られたときに、補正環２７が所定の回転角であることを検知する。したがって、センサ６３によりセンサ板６１を検知するだけの簡易な構成で、補正環２７が所定の回転角に位置合わせされた状態を容易に検出することができる。
【００７５】
表示部６５は、例えば、操作ダイヤル３５の指標４１の近傍など、操作者が操作ダイヤル３５を操作しながら視認し易い位置に配置されている。この表示部６５は、例えば、センサ６３によって、補正環２７が所定の回転角に位置合わせされた状態であることが検出されているときに点灯する。
【００７６】
このように構成された補正環駆動装置２９の作用について説明する。
本実施形態に係る補正環駆動装置２９は、例えば、切換機構３３により顕微鏡本体３に対して補正環駆動機構３１の位置を切り換えた場合など、補正環２７の調整を行う場合において、センサ６３によって、補正環２７の回転角を検出することができる。
【００７７】
例えば、切換機構３３により、補正環駆動機構３１を退避位置から接触位置に移動させた状態で、操作者が操作ダイヤル３５の外周部３５ｃを回転させると、補正環２７が所定の回転角に位置合わせされたときに、センサ６３によって補正環２７のセンサ板６１が検知され、表示部６５が点灯する。操作者は、表示部６５の点灯により、補正環２７が所定の回転角に位置合わせされた状態であることを確認した後、切換機構３３により補正環駆動機構３１を退避位置に移動させ、操作ダイヤル３５の回転操作、指標４１の付け直し、または、操作ダイヤル３５の回転操作および指標４１の付け直しの両方によって、補正環２７の所定の回転角に対する目盛４１ａおよびマークＢを容易に対応付けることができる。
【００７８】
本実施形態においては、接触位置で表示部６５が点灯している状態で、外周部３５ｃを回転させずに指標４１を付け直すことによって、補正環２７の所定の回転角に該当する目盛４１ａの位置にマークＢを合わせることとしてもよい。
【００７９】
また、本実施形態においては、センサ部としてフォトインタラプタからなるセンサ６３を例示して説明したが、センサ部は、補正環２７が所定の回転角に位置合わせされた状態を検出することができるものであればよい。例えば、図６に示すように、補正環２７が、被検知部として、センサ板６１に代えて周方向の所定の位置に配置された磁石からなるマグネット部６７を備えることとしてもよい。その場合、センサ部として磁力センサ６９を採用し、補正環２７が所定の回転角に位置合わせされたときに、磁力センサ６９によりマグネット部６７を検知することとすればよい。
【００８０】
また、上記各実施形態においては、回転駆動部として、駆動プーリ４３，４５および駆動ベルト４７により構成される回転駆動部３７を例示して説明したが、補正環２７に接触した状態において、駆動ベルト４７と補正環２７との間で滑りが生じることなく、操作ダイヤル３５の回転駆動力に基づいて補正環２７を回転させることができればよく、これに限定されるものではない。例えば、補正環２７と駆動ベルト４７とが互いに噛み合う歯を有さず、摩擦により動力を伝達することとしてもよい。また、例えば、駆動プーリ４３，４５および駆動ベルト４７に代えて、歯車やゴムローラ等によって回転駆動部を構成することとしてもよい。
【００８１】
また、上記各実施形態においては、動力伝達部として、伝達プーリ４９，５１および伝達ベルト５３により構成される動力伝達部３９を例示して説明したが、補正環２７から離れた状態で配置された操作ダイヤル３５の回転駆動力を回転駆動部３７に伝達することができればよく、これに限定されるものではない。例えば、伝達プーリ４９，５１および伝達ベルト５３に代えて、歯車やゴムローラ等によって動力伝達部を構成することとしてもよい。
【００８２】
また、動力伝達部３９が第１伝達プーリ４９を備えず、操作ダイヤル３５が、回転軸３５ａ回りに外周部３５ｃと一体的に回転可能なプーリを備え、動力伝達部３９の伝達ベルト５３が、操作ダイヤル３５のプーリに架け渡されることとしてもよい。
【００８３】
また、上記各実施形態においては、操作ダイヤル３５の歯部３５ｂと補正環２７の歯部２７ａとが略同一径を有し、補正環２７が操作ダイヤル３５の外周部３５ｃの回転角と同一の回転角だけ光軸Ｌ回りに回転することとしたが、補正環２７の回転角と操作ダイヤル３５の外周部３５ｃの回転角とが異なることとしてもよい。その場合、補正環２７の回転角と操作ダイヤル３５の外周部３５ｃの回転角とを対応付けるという目的で、指標４１の目盛４１ａの比率を調整することとすればよい。
【００８４】
また、上記各実施形態においては、手動によって操作ダイヤル３５を操作することとしたが、例えば、モータ等を採用して、電動によって操作ダイヤル３５を操作することとしてもよい。この場合、レボルバ１７として電動駆動するものを採用し、電動のレボルバ１７により、電動のレボルバ１７の穴の位置の情報や電動のレボルバ１７に装着されている対物レンズ１３の情報を電動のレボルバ１７から出力することとしてもよい。そして、図示しない制御部により、電動のレボルバ１７からの情報に基づいて、レーザ光の光路Ｐ上に配置されている対物レンズ１３に適切な補正環２７の回転角を表示したり、モータを駆動して操作ダイヤル３５を電動で制御したりすることとしてもよい。
【００８５】
以上、本発明の実施形態について図面を参照して詳述してきたが、具体的な構成はこの実施形態に限られるものではなく、本発明の要旨を逸脱しない範囲の設計変更等も含まれる。例えば、本発明を上記各実施形態および変形例に適用したものに限定されることなく、これらの実施形態および変形例を適宜組み合わせた実施形態に適用してもよく、特に限定されるものではない。
【００８６】
また、例えば、上記各実施形態においては、顕微鏡として、倒立型の顕微鏡本体３を例示して説明したが、これに代えて、正立顕微鏡に適用することとしてもよい。
また、上記各実施形態においては、補正環駆動装置２９が、切換機構３３を備えることとしたが、例えば、対物レンズ１３を１本のみしか採用しない場合など、対物レンズ１３を交換しない想定の場合は、補正環駆動装置２９が切換機構３３を備えないこととしてもよい。こうすることによって、切換機構３３を備えない分だけ補正環駆動装置２９をシンプルな構成かつ小型にすることができる。
【符号の説明】
【００８７】
１        顕微鏡装置
３        顕微鏡本体（顕微鏡）
１１      ステージ
１３      対物レンズ
２９      補正環駆動装置
３１      補正環駆動機構
３３      切換機構
３５      操作ダイヤル（操作部）
３５ｂ    歯部
３７      回転駆動部
３９      動力伝達部
４１      指標
４７      駆動ベルト（ベルト部材）
４７ａ    ベルト歯
５５      クラッチ（クラッチ部）
６１      センサ板（被検知部）
６３      センサ（センサ部）
６５      表示部
６７      マグネット部（被検知部）
６９      磁力センサ（センサ部）
【図１】
2019144490.tif 000003
【図２】
2019144490.tif 000004
【図３】
2019144490.tif 000005
【図４】
2019144490.tif 000006
【図５】
2019144490.tif 000007
【図６】
2019144490.tif 000008